(57)【要約】      （修正有）【課題】別途照明装置を必要とせず、また、持ち運びがしやすいように利便性を向上させた影絵装置を提供する。【解決手段】遮光性を有する造影物体と、造影物体に対して光を照射するＬＥＤ１５と、ＬＥＤ１５に電流供給を行う電子基板２１と、電子基板２１が載置された底板１６と、電子基板２１を覆うように、底板１６に取り付けられるカバー１０と、有し、カバー１０の上面には、造影物体を立設するための立設溝１０ａが形成されている。【選択図】図４
0003131112.tif 000002
【実用新案登録請求の範囲】
【請求項１】
前記造影物体に対して光を照射する光源と、
前記光源に電流供給を行う電子基板と、
前記電子基板が載置された底板と、
前記電子基板を覆うように、前記底板に取り付けられるカバーと、
前記カバーの上面には、前記造影物体を立設するための立設溝と、を有し、
前記立設溝は、遮光性を有する造影物体が着脱可能に取り付けられることを特徴とする影絵装置。
【請求項２】
前記カバーの上面には、前記光源から出射した光のうち一部の光の方向を変え、当該一部の光を前記造影物体へと導く導光部材が設けられていることを特徴とする請求項１記載の影絵装置。
【請求項３】
前記導光部材における光の反射面には、アルミ部材が貼付されていることを特徴とする請求項２記載の影絵装置。
【請求項４】
前記カバーの側面は、円筒の側面となるように湾曲して形成されていることを特徴とする請求項１から３のいずれか記載の影絵装置。
【請求項５】
所定時間が経過したことを契機として、前記光源への電流供給を自動的に遮断するタイマーが設けられていることを特徴とする請求項１から４のいずれか記載の影絵装置。
【請求項６】
前記電子基板に接続され、音声出力を行うスピーカと、
音声演出の有無を切り替える切り替えスイッチと、を備えることを特徴とする請求項１から５のいずれか記載の影絵装置。
【請求項７】
前記カバーは、前記電子基板に接続され、時刻表示を行う表示部を備えることを特徴とする請求項１から５のいずれか記載の影絵装置。
【考案の詳細な説明】
【技術分野】
【０００１】
本考案は、例えば室内の装飾用照明器具として用いる影絵装置に関し、特に、その利便性を向上させ得るものに関する。
【背景技術】
【０００２】
一般に、蛍光灯や白熱灯などの照明装置は、部屋を明るくすることに用いられている。オフィス，リビングルーム及び寝室など、照明装置は様々な場所に取り付けられている。一方で、照明装置の中には、部屋を明るくするため、というより、装飾のために用いられるものも存在する。例えば、部屋に幻想的な装飾を施すため、影絵をつくる場合などである（例えば特許文献１参照）。
【０００３】
特許文献１に開示された影絵用具は、白熱灯などの照明装置から出射される光が当てられると、投影面（例えば背後の壁など）に影絵が映し出される、遮光性のある造影物体である。この影絵用具は、握持棒に２枚の造形影絵板を十字形に組み合わせて取り付けた構造となっており、その向きを縦向き或いは横向きに変えたとき、それぞれ異なる影絵を作ることができるように造形されている。
【０００４】
【特許文献１】実開昭５８−７４９８９号公報
【考案の開示】
【考案が解決しようとする課題】
【０００５】
しかしながら、特許文献１に開示された影絵用具を部屋の装飾に用いる際には、別途、影絵用具に光を当てるための照明装置、例えば白熱灯などの照明装置が必要となる。また、別途、照明装置が必要になるのでは、持ち運び等にも不便である。
【０００６】
本考案は、このような点に鑑みてなされたものであり、その目的は、別途照明装置を必要とせず、また、持ち運びがしやすいように利便性を向上させた影絵装置を提供することにある。
【課題を解決するための手段】
【０００７】
以上のような課題を解決するために、本考案は、以下のものを提供する。
【０００８】
（１）    前記造影物体に対して光を照射する光源と、前記光源に電流供給を行う電子基板と、前記電子基板が載置された底板と、前記電子基板を覆うように、前記底板に取り付けられるカバーと、前記カバーの上面には、前記造影物体を立設するための立設溝と、を有し、前記立設溝は、遮光性を有する造影物体が着脱可能に取り付けられることを特徴とする影絵装置。
【０００９】
本考案によれば、カバー上面には、造影物体を立設するための立設溝が形成され、この立設溝に遮光性を有する造影物体が着脱可能に取り付けられることとしたので、利便性の高い影絵装置を提供することができる。
【００１０】
すなわち、本考案に係る影絵装置には、造影物体に対して光を照射する光源が組み込まれているため、別途照明装置を必要としない。また、造影物体は、立設溝を利用することでカバーと一体化させることができるため、持ち運びが容易である。従って、利便性向上に資することができる。また、光源を電流駆動する電子基板は、カバーと底板で覆われていることから、本考案に係る影絵装置はある程度の防水性をも備えている。
【００１１】
さらに、本考案は、造影物体の交換（取替え）が容易であるので、汎用性が高いものである。詳細には、例えば、造影物体とカバーとを一体化させた場合であっても、その造形物体を取り外したり、交換したりすることができなければ、バラエティーに乏しいものとなる。しかし、本考案のように、造影物体を立設溝に立設するような構造にしておけば、気に入らない造影物体は、所望の造影物体（気に入った造影物体）に簡易に交換することが可能となるので、影絵の種類に関してバラエティーに富んだ影絵装置を提供することができ、ひいては汎用性を高めることができる。
【００１２】
ここで、造影物体に対して光を照射する「光源」の位置に関しては、如何なる箇所であってもよい。例えば、カバー内部に埋没していてもよいし、カバー上面から飛び出していてもよい（この場合、カバー上面に光源を突出させるための突出穴を形成する）。また、カバーの材質・形状・大きさ等の如何は問わない。例えば、箱型形状であっても、円筒形状であっても、ドーム形状であっても構わない。
【００１３】
（２）  前記カバーの上面には、前記光源から出射した光のうち一部の光の方向を変え、当該一部の光を前記造影物体へと導く導光部材が設けられていることを特徴とする影絵装置。
【００１４】
本考案によれば、上述したカバーの上面には、光源から出射した光のうち一部の光の方向を変え、一部の光を造影物体へと導く導光部材が設けられていることとしたので、光源から出射した光のうち、造影物体の方向以外の方向に出射された光を、造影物体の方向へと向けることができる。従って、造影物体に効率的に光を当てることができ、ひいては影絵を造影面により鮮明に映し出すことができる。その結果、装飾効果を高めることができる。なお、導光部材における光の反射面には、例えば反射塗料を塗ってもよい。
【００１５】
（３）  前記導光部材における光の反射面には、アルミ部材が貼付されていることを特徴とする影絵装置。
【００１６】
本考案によれば、上述した導光部材における光の反射面には、アルミ部材が貼付されていることとしたので、その反射面における光の反射率を高め、造影物体に、より効率的に光を当てることができる。
【００１７】
（４）  前記カバーの側面は、円筒の側面となるように湾曲して形成されていることを特徴とする影絵装置。
【００１８】
本考案によれば、上述したカバーの側面は、円筒の側面となるように湾曲して形成されていることとしたので、例えば角を有する箱型形状のカバーと比べて、安全性を高めることができる（例えば、幼児が角で怪我するのを防ぐことができる）。
【００１９】
（５）  所定時間が経過したことを契機として、前記光源への電流供給を自動的に遮断するタイマーが設けられていることを特徴とする影絵装置。
【００２０】
本考案によれば、所定時間が経過すると光源への電流供給が自動的に遮断するタイマーが設けられているので、影絵装置の電源をＯＦＦし忘れた（例えばＯＦＦし忘れて寝てしまった）としても、これを適切にＯＦＦすることができる。
【００２１】
（６）  前記電子基板に接続され、音声出力を行うスピーカと、音声演出の有無を切り替える切り替えスイッチと、を備えることを特徴とする影絵装置。
【００２２】
（７）  前記カバーは、前記電子基板に接続され、時刻表示を行う表示部を備えることを特徴とする影絵装置。
【００２３】
本考案によれば、影絵装置に、上述した電子基板に接続され、音声出力を行うスピーカと、音声演出の有無を切り替える切り替えスイッチと、を設けることとしたので、音声演出を行うことによる遊技性を高めることができる。また、本考案によれば、カバーに時刻表示を行う表示部を備えることで、時計機能も有し、より利便性を高めることができる。
【考案の効果】
【００２４】
以上説明したように、本考案は、別途照明装置を必要とせず、また、持ち運び容易であることから、利便性を高めることができる。また、造影物体の交換が容易であるため、汎用性を高めることもできる。
【考案を実施するための最良の形態】
【００２５】
以下、本考案を実施するための最良の形態について、図面に基づいて説明する。
【００２６】
［影絵装置の概要］
図１は、本考案の実施の形態に係る影絵装置１の外観を示す斜視図である。また、図２は、図１に示す影絵装置１の使用状態を示す使用状態図である。
【００２７】
図１に示すように、本実施形態に係る影絵装置１は、主として、底板１６（図４参照）に取り付けられたカバー１０と、遮光性を有する造影物体１４とから構成されている。なお、カバー１０には、導光部材１１と、コネクタ１２と、タイマー（スイッチ）１３と、が設けられているが、これらについては後述する。また、造影物体１４は、本実施形態では木の形状となっているが、本考案はこれに限られない。例えば人物・動物の形状であっても、自動車・飛行機の形状であっても、如何なる形状であってもよい。造影物体１４は、カバー１０の上面に形成される立設溝１０ａに挿入されるように、その下部は四角形状となっている。
【００２８】
図２に示すように、影絵装置１は、ＯＮ・ＯＦＦを切り替える切り替えスイッチ１９（図７参照）を操作することによって、導光部材１１の内側に配置されたＬＥＤ１５（図３参照）が点灯する。その結果、ＬＥＤ１５から出射した光は、影絵装置１に当たり、投影面１００に影絵が出現する。このようにして、影絵装置１は部屋の装飾に用いられる。
【００２９】
［影絵装置の詳細］
図３は、図１に示す影絵装置１の外観構成を示す平面図及び側面図である。図４は、図１に示す影絵装置１を分解したときの分解斜視図である。なお、図３（ｂ）の側面図は、図３（ａ）に示す平面図におけるＸ方向から見たときの様子を示している。
【００３０】
図３及び図４において、影絵装置１は、造影物体１４に対して光を照射するＬＥＤ１５（光源の一例）と、ＬＥＤ１５に電流供給を行う電子基板２１と、電子基板２１が載置された底板１６と、電子基板２１を覆うように、底板１６に取り付けられるカバー１０と、を有している。なお、本実施形態では、カバー１０が底板１６を係合するようになっているが、例えばネジ止めで固定してもよいし、接着固定してもよい。
【００３１】
カバー１０の上面には、造影物体を立設するための立設溝１０ａが形成されている。この立設溝１０ａは、所定長さ及び所定厚さのスリット形状になっており、木の形状をした造影物体１４（図１参照）の幹部分が差し込まれるようになっている。
【００３２】
カバー１０の上面中央には、ＬＥＤ１５をカバー１０の内部より突出させるための照射孔１０ｂが形成されている（図３（ａ）参照）。なお、図３（ｂ）によれば、ＬＥＤ１５がカバー１０の上面から突出しているのが分かる。照射孔１０ｂの一部を覆うように、導光部材１１が設けられている。この導光部材１１は、ＬＥＤ１５から出射した光のうち一部の光の方向を変えて、その一部の光を造影物体１４へと導く機能を有する。ＬＥＤ１５から出射した光のうち、タイマースイッチ１３が存在する方向（図３（ａ）でいえば右下）の光を反射させて、この光を造影物体１４が存在する方向（図３（ａ）でいえば左上）に導くことができるようになっている。
【００３３】
なお、カバー１０の側面は、円筒の側面となるように湾曲して形成されているが、本考案はこれに限られず、箱形形状であっても、ドーム形状であっても構わない。また、カバー１０の側面には、コネクタ１２が設けられており、外部電源を接続することによって、外部電力の供給を受けることもできる。
【００３４】
一方で、カバー１０の上面には、タイマースイッチ１３を突出させるためのスイッチ孔１０ｃも形成されている（図４参照）。カバー１０を底板１６に取り付けたとき、このスイッチ孔１０ｃを通じてタイマースイッチ１３がカバー１０の上面から突出するようになっている。
【００３５】
タイマースイッチ１３は、所定時間（例えば３０分）が経過したことを契機として、ＬＥＤ１５への電流供給を自動的に遮断するものである。具体的な機能には、図５を用いて説明する。
【００３６】
図５は、タイマースイッチ１３の機能について説明するための説明図である。
【００３７】
図５（ａ）に示すように、タイマー機能が作動していない状態では、タイマースイッチ１３はカバー１０の上面から飛び出た状態になっている。この状態において、タイマースイッチ１３を押すと、図５（ｂ）に示すように、図５（ａ）に示す状態と比べて沈み込んだ位置で停止する。この図５（ｂ）に示す状態で３０分が経過すると、ＬＥＤ１５への電流供給は自動的に切れる。なお、タイマースイッチ１３の具現化方法は如何なる方法であってもよいが、例えば、機械式のマイクロスイッチ等で構成することができる。
【００３８】
図６は、導光部材１１の内部にアルミ部材１７が貼付されている様子を示す図である。
【００３９】
図６において、導光部材１１における光の反射面には、アルミ部材１７が貼付されており、ＬＥＤ１５から出射した光の方向を変える際の反射率向上に役立っている。なお、本実施形態ではアルミ部材１７を貼付することとしたが、例えば、導光部材１１の内面に反射塗料を塗布しても構わない。
【００４０】
図７は、影絵装置１を裏から見たときの底面図である。
【００４１】
図７において、影絵装置１の底板１６に存在する電池蓋２０を開けると、３本の乾電池１８を視認することができる。なお、本実施形態では乾電池１８の電力によってＬＥＤ１５を駆動することとしたが、本考案はこれに限られず、上述したコネクタ１２を介して、外部電力によりＬＥＤ１５を駆動することとしても構わない。
【００４２】
また、底板１６には、音声演出の有無やＬＥＤの点滅、点灯、消滅を切り替える切り替えスイッチ１９が設けられている。この切り替えスイッチ１９を操作することにより、ＬＥＤ１５を点灯・点滅させたり、音声演出モードにしたりすることができる。なお、音声演出を行うことが可能な影絵装置１であれば、カバー１０内に、電子基板２１に接続され、音声出力を行うスピーカ（図示せず）が設けられることになる。
【００４３】
［実施形態の効果］
以上説明したように、本実施形態に係る影絵装置１によれば、カバー１０の内部にＬＥＤ１５が組み込まれることから、別途他の照明装置を必要としない。また、立設溝１０ａに造影物体１４を差し込んだ状態であれば、持ち運びが容易である（商品ケースにも入れやすい）。従って、利便性を備える影絵装置１を提供することができる。
【００４４】
また、複数の造影物体１４を用意し、立設溝１０ａに差し替えるだけで、異なる種類の影絵を作り出すことができるので、影絵のバラエティー性を容易に高めることができる。また、例えば数滴の水が影絵装置１にかかったとしても、カバー１０によってＬＥＤ１５や電気基板２１は濡れない。従って、防水性を高めることもできる。
【００４５】
また、カバー１０の上面に導光部材１１が設けられているため、ＬＥＤ１５から出射した光を効率的に造影物体１４の方向へと向けることができ、ひいては影絵を造影面１００により鮮明に映し出すことができる（図２参照）。また、この導光部材１１の内面には、アルミ部材１７が貼付されていることから、光が反射する際の反射率を高めることができ、ひいては、ＬＥＤ１５から出射した光をより効率的に、造影物体１４の方向へと向けることができる。
【００４６】
なお、本実施形態に係る影絵装置１では、カバー１０の側面が、尖った角のない円筒形状の側面となっていることから、安全性を高めることができる。また、タイマースイッチ１３の機能により、影絵装置１の電源をＯＦＦし忘れた場合であっても、これを適切にＯＦＦすることができる。さらに、切り替えスイッチ１９の機能により、影絵装置１に音声演出の機能を付加することができる。
【産業上の利用可能性】
【００４７】
本考案に係る影絵装置は、持ち運びが容易になるなど利便性が高く、かつ、造影物体を容易に交換できるなど汎用性が高いものとして有用である。
【図面の簡単な説明】
【００４８】
【図１】本考案の実施の形態に係る影絵装置の外観を示す斜視図である。
【図２】図１に示す影絵装置の使用状態を示す使用状態図である。
【図３】図１に示す影絵装置の外観構成を示す平面図及び側面図である。
【図４】図１に示す影絵装置を分解したときの分解斜視図である。
【図５】タイマースイッチの機能について説明するための説明図である。
【図６】導光部材の内部にアルミ部材が貼付されている様子を示す図である。
【図７】影絵装置を裏から見たときの底面図である。
【符号の説明】
【００４９】
１  影絵装置
１０  カバー
１０ａ  立設溝
１０ｂ  照射孔
１０ｃ  スイッチ孔
１１  導光部材
１２  コネクタ
１３  タイマースイッチ
１４  造影物体
１５  ＬＥＤ
１６  底板
１７  アルミ部材
１８  乾電池
１９  切り替えスイッチ
２０  電池蓋
１００  投影面
【図３】
0003131112.tif 000003
【図５】
0003131112.tif 000004
【図６】
0003131112.tif 000005
【図７】
0003131112.tif 000006
【図１】
0003131112.tif 000007
【図２】
0003131112.tif 000008
【図４】
0003131112.tif 000009